(57)【特許請求の範囲】
【請求項１】
窓に配される日射遮蔽装置であって、
前記窓の間口方向に伸びるとともに前記窓の奥行方向に配される第一横部材及び第二横部材と、
前記第一横部材及び前記第二横部材に移動自在に接続された複数のフレーム部材と、
を備え、
前記フレーム部材が、前記第一横部材に移動自在に懸架された第一縦部材と、
前記第二横部材に移動自在に懸架された第二縦部材と、
前記間口方向が長手方向となるよう、及び前記奥行方向が幅方向となるように形成され、前記第一縦部材及び前記第二縦部材に接続されて配された複数の板状部材と、
を備え、
前記板状部材は、それぞれ、前記長手方向及び前記幅方向における一端側にて前記第一縦部材と、他端側にて前記第二縦部材と接続されており、複数の前記板状部材はそれぞれ前記第一縦部材及び前記第二縦部材の長さ方向に向けて所定間隔を空けて配されており、
複数の前記フレーム部材における各板状部材は、それぞれ高さ位置が異なるように配置されて、隣接するフレーム部材における板状部材が上下方向に位置するようになされている、
ことを特徴とする日射遮蔽装置。
【請求項２】
更に、一の前記フレーム部材における前記板状部材、及び前記の一のフレーム部材に隣接する他のフレーム部材における前記板状部材を前記第一横部材及び前記第二横部材に沿う方向にのみ相対移動可能に規制するガイド部を有し、
前記ガイド部は、各板状部材の上下面のいずれか一方側に設けられた溝部と、他方側に設けられた凸部とからなる、
ことを特徴とする請求項１記載の日射遮蔽装置。
【請求項３】
更に、前記の一の板状部材及び前記の他の板状部材が、前記第一横部材及び前記第二横部材に沿う方向に離間するのを規制する規制部を具備することを特徴とする請求項１又は２記載の日射遮蔽装置。
【請求項４】
前記板状部材と前記第一縦部材及び前記第二縦部材との接続位置が、各前記フレーム部材間において、前記間口方向に沿って前記第一縦部材及び前記第二縦部材の幅分ずつ順にずれていることを特徴とする請求項１から３のいずれかに記載の日射遮蔽装置。
【請求項５】
前記第一横部材まわりに前記第二横部材が回動自在に接続されていることを特徴とする請求項１から４のいずれかに記載の日射遮蔽装置。
【請求項６】
前記板状部材の上面の反射率が、前記板状部材の室内側の側面の反射率よりも小さいことを特徴とする請求項１から５の何れか一つに記載の日射遮蔽装置。
【請求項７】
前記第一縦部材及び前記第二縦部材を挟んで前記第一横部材及び前記第二横部材の反対側から、前記第一横部材及び前記第二横部材とともに前記第一縦部材及び前記第二縦部材を移動自在に支える支持部材を備えていることを特徴とする請求項１から６の何れか一つに記載の日射遮蔽装置。
【発明の詳細な説明】
【技術分野】
【０００１】
本発明は、日射遮蔽装置に関する。
【背景技術】
【０００２】
従来の日射遮蔽装置は、水平ブラインドに代表されるように、スラットを窓等の上部に収納する形式が主流となっている（例えば、特許文献１参照。）
【先行技術文献】
【特許文献】
【０００３】
【特許文献１】特開平１１−０５６５９４号公報
【発明の概要】
【発明が解決しようとする課題】
【０００４】
しかしながら、上記従来の日射遮蔽装置は、収納スペースの制約や上下動のための重量制限から、スラットを薄くせざるを得ない。そのため、耐風性能が不十分で、通風を採りながら日射遮蔽を行うことが困難であり、通風と日射遮蔽との双方が求められる夏季の使用の大きな支障となっている。
【０００５】
本発明は上記事情に鑑みて成されたものであり、耐風性及び通風性の双方を備える日射遮蔽装置を提供することを目的とする。
【課題を解決するための手段】
【０００６】
本発明は、上記課題を解決するため、以下の手段を採用する。
本発明に係る日射遮蔽装置は、窓に配される日射遮蔽装置であって、前記窓の間口方向に伸びるとともに前記窓の奥行方向に順次離間して配される第一横部材及び第二横部材と、前記第一横部材及び前記第二横部材に移動自在に接続された複数のフレーム部材と、を備え、前記フレーム部材が、前記第一横部材に移動自在に懸架された第一縦部材と、前記第二横部材に移動自在に懸架された第二縦部材と、前記間口方向が長手方向となるよう、及び前記奥行方向が幅方向となるように形成され、前記第一縦部材及び前記第二縦部材に沿って各前記フレーム部材間で互いに異なる位置に、前記長手方向及び前記幅方向の一端側にて前記第一縦部材と、及び他端側にて前記第二縦部材と、互いに離間して接続された複数の板状部材と、を備え、少なくとも一組の一の前記フレーム部材における前記板状部材、及び前記一のフレーム部材に隣接する他のフレーム部材における前記板状部材間に、両者を前記第一横部材及び前記第二横部材に沿う方向にのみ相対移動可能に規制するガイド部と、前記一組の前記第一板状部材及び前記第二板状部材が前記第一横部材及び前記第二横部材に沿う方向に離間するのを規制する規制部と、が配されていることを特徴とする。
【０００７】
この発明は、板状部材の形状及び大きさや第一縦部材及び第二縦部材に対する配置間隔を調整することによって、日光が窓から室内に入射するのを好適に抑えることができる。また、第一横部材及び第二横部材に沿って各フレーム部材を重なり合う方向に移動することにより、第一縦部材同士及び第二縦部材同士が接触するまで両者を重ね合わせることができる。そして、第一縦部材同士及び第二縦部材同士が接触した状態で両者をともに移動することができる。一方、各フレーム部材を展開する際、フレーム部材を個別に移動しても規制部によって両者の離間を抑えることができるだけでなく、その状態で第一横部材及び第二横部材に沿って各フレーム部材をともに移動することができる。
【０００８】
また、本発明に係る日射遮蔽装置は、前記日射遮蔽装置であって、前記板状部材と前記第一縦部材及び前記第二縦部材との接続位置が、各前記フレーム部材間において、前記間口方向に沿って前記第一縦部材及び前記第二縦部材の幅分ずつ順にずれていることを特徴とする。
【０００９】
この発明は、第一縦部材同士及び第二縦部材同士が接触するまで両者を重ね合わせたとき、板状部材が一枚に重なり合うようにすることができる。
【００１０】
また、本発明に係る日射遮蔽装置は、前記日射遮蔽装置であって、前記第一横部材まわりに前記第二横部材が回動自在に接続されていることを特徴とする。
【００１１】
この発明は、第一横部材まわりに第二横部材を回動させることによって、板状部材の傾斜角度を変更することができ、日射角度に好適に対応することができる。
【００１２】
また、本発明に係る日射遮蔽装置は、前記日射遮蔽装置であって、前記板状部材の上面の反射率が、前記板状部材の室内側の側面の反射率よりも小さいことを特徴とする。
【００１３】
この発明は、日光が上面に照射された際の室内への反射量を抑えることができる一方、側面での反射量を増やすことができ、板状部材の表面における明暗の強さを均一にすることができる。
【００１４】
また、本発明に係る日射遮蔽装置は、前記日射遮蔽装置であって、前記第一縦部材及び前記第二縦部材を挟んで前記第一横部材及び前記第二横部材の反対側から、前記第一横部材及び前記第二横部材とともに前記第一縦部材及び前記第二縦部材を移動自在に支える支持部材を備えていることを特徴とする。
【００１５】
この発明は、第一縦部材及び第二縦部材を上下方向から支持することができ、フレーム部材の耐風性をより高めることができる。
【発明の効果】
【００１６】
本発明によれば、十分な耐風性能を確保した状態で通風を採りながら室内への日射を遮蔽することができる。
【図面の簡単な説明】
【００１７】
【図１】本発明の一実施形態に係る日射遮蔽装置のフレーム部材を（ａ）展開した状態、（ｂ）展開中、（ｃ）収納した状態を示す斜視図である。
【図２】本発明の一実施形態に係る日射遮蔽装置を示す一部拡大構成図である。
【図３】本発明の一実施形態に係る日射遮蔽装置の（ａ）展開時、（ｂ）収納時におけるスラットを示す平面図である。
【図４】本発明の一実施形態に係る日射遮蔽装置における（ａ）展開時、（ｂ）収納時におけるガイド部及び規制部の関係を示す断面図である。
【発明を実施するための形態】
【００１８】
本発明に係る一実施形態について、図１から図４を参照して説明する。
本実施形態に係る日射遮蔽装置１は、不図示の窓に配される日射遮蔽装置１であって、  図１（ａ）に示すように、不図示の窓に対して間口方向に伸びるとともに奥行方向に順次離間して配される第一横部材２及び第二横部材３と、第一横部材２及び第二横部材３に移動自在に接続されたフレーム部材５，６，７，８と、フレーム部材５，６，７，８の下端側から第一横部材２及び第二横部材３とともにフレーム部材５，６，７，８を移動自在に支える支持部材１０と、を備えている。
【００１９】
第一横部材２は、不図示の窓の外面から、窓の奥行方向に離間して配されている。そして、第二横部材３は、第一横部材２に対してさらに窓の外側に向かって水平に一定距離に離間して配されている。すなわち、第一横部材２及び第二横部材３は、略平行に並んで窓の外側に配されている。なお、第一横部材２及び第二横部材３は、不図示の窓に対してともに固定されていてもよく、第一横部材２まわりに第二横部材３が回動自在に接続されていてもよい。
【００２０】
各フレーム部材５，６，７，８は、略同一の構成となっている。そのため、構成については、以下、図２に示すフレーム部材５，６を中心に説明する。
フレーム部材５，６は、上端が第一横部材２に移動自在に懸架され、下端が支持部材１０に移動自在に係合された第一縦部材１１と、上端が第二横部材３に移動自在に懸架され、下端が支持部材１０に移動自在に係合された第二縦部材１２と、間口方向が長手方向及び奥行方向が幅方向となるよう形成され、設定された厚みを有する略矩形状の複数のスラット（板状部材）１３と、をそれぞれ備えている。
【００２１】
スラット１３は、第一縦部材１１及び第二縦部材１２に沿って各フレーム部材５，６，７，８間で高さ方向の互いに異なる位置に、長手方向及び幅方向の一端側の側面１３Ａにて第一縦部材１１と、及び他端側の側面１３Ｂにて第二縦部材１２と、互いに離間して接続されている。
【００２２】
各スラット１３と第一縦部材１１及び第二縦部材１２との接続位置は、図３（ａ）に示すように、各フレーム部材５，６，７，８間において、間口方向に沿って第一縦部材１１及び第二縦部材１２の幅分ずつ順にずれた位置にて接続されている。そのため、各フレーム部材５，６，７，８を重ね合わせたときには、図３（ｂ）に示すように、各スラット１３が１枚に重なり合う状態となる。
【００２３】
ここで、フレーム部材５，６における少なくとも一組のスラット１３間には、図２に示すように、両者を第一横部材２及び第二横部材３に沿う方向のみ相対移動できるように規制するガイド部１５と、スラット１３が第一横部材２及び第二横部材３に沿う方向に離間するのを規制する規制部１６と、が配されている。
【００２４】
ガイド部１５は、フレーム部材５におけるスラット１３の下面１７に突出して設けられた凸部１５Ａと、フレーム部材６におけるスラット１３の上面１８に設けられた溝部１５Ｂと、を備えている。溝部１５Ｂは、フレーム部材６におけるスラット１３の長手方向に沿って配されており、フレーム部材５におけるスラット１３の凸部１５Ａが係合されている。凸部１５Ａは、各フレーム部材５，６，７，８を収納する方向に対して先端側となる位置に配されている。一方、規制部１６は、これと反対方向となる各フレーム部材５，６，７，８を展開する方向に対して溝部１５Ｂの先端側となる位置に配されている。
【００２５】
ここで、図４（ａ）に示すように、凸部１５Ａは、フレーム部材６におけるスラット１３の下面２０、フレーム部材７におけるスラット１３の下面２１にも配されている。一方、溝部１５Ｂ及び規制部１６は、フレーム部材７におけるスラット１３の上面２２、フレーム部材８におけるスラット１３の上面２３にも配されている。
【００２６】
各スラット１３は、フレーム部材５の上面を含む各上面１８，２２，２３が略水平状態となるように配されており、この上面の反射率は、スラット１３の室内側の側面１３Ｂの反射率よりも小さくなるように形成されている。なお、スラット１３は上面が水平方向に対して傾斜していても構わない。
【００２７】
次に、本実施形態に係る日射遮蔽装置１の作用について説明する。
収納状態とされた各フレーム部材を日光遮蔽のために展開する際には、図１（ｂ）に示すように、間口方向先端側となるフレーム部材５を把持して間口方向に引き出す。
【００２８】
このとき、フレーム部材５におけるスラット１３の凸部１５Ａがフレーム部材６におけるスラット１３の溝部１５Ｂに沿って移動し、やがて凸部１５Ａが溝部１５Ｂの先端の規制部１６に当接する。これにより、フレーム部材６がフレーム部材５とともに第一横部材２及び第二横部材３に対して移動するようになる。フレーム部材６及びフレーム部材７間、及びフレーム部材７及びフレーム部材８間でも順次同様の作用が生じ、やがて図１（ａ）及び図４（ａ）に示すように展開状態となる。
【００２９】
日射遮蔽装置１を収納する際には、フレーム部材５を把持して展開時と反対方向に移動する。このとき、フレーム部材５におけるスラット１３の凸部１５Ａがフレーム部材６におけるスラット１３の規制部１６から離間して、溝部１５Ｂに沿って移動する。そして、フレーム部材５におけるスラット１３とフレーム部材６におけるスラット１３とが重なり始める。やがて、フレーム部材５の第一縦部材１１とフレーム部材６の第一縦部材１１と、及び、フレーム部材５の第二縦部材１２とフレーム部材６の第二縦部材１２とが当接して、スラット１３同士が重なり合う。これにより、フレーム部材６がフレーム部材５とともに第一横部材２及び第二横部材３に対して移動するようになる。フレーム部材６及びフレーム部材７間、及びフレーム部材７及びフレーム部材８間でも順次同様の作用が生じ、やがて図１（ｃ）及び図４（ｂ）に示すように収納状態となる。
【００３０】
この日射遮蔽装置１によれば、スラット１３の形状及び大きさや第一縦部材１１及び第二縦部材１２に対する配置間隔を調整することによって、日光が窓から室内に入射するのを好適に抑えることができる。また、第一横部材２及び第二横部材３に沿って各フレーム部材５，６，７，８を重なり合う方向に移動することにより、第一縦部材１１同士及び第二縦部材１２同士が接触するまで両者を重ね合わせることができる。そして、第一縦部材１１同士及び第二縦部材１２同士が接触した状態で両者をともに移動することができる。一方、各フレーム部材５，６，７，８を展開する際、先端のフレーム部材５を個別に移動しても規制部１６によって隣接するフレーム部材６の離間を抑えることができるだけでなく、その状態で第一横部材及び第二横部材に沿ってフレーム部材６，７，８をともに移動することができる。
【００３１】
特に、スラット１３と第一縦部材１１及び第二縦部材１２との接続位置が、各フレーム部材５，６，７，８間において、間口方向に沿って第一縦部材１１及び第二縦部材１２の幅分ずつ順にずれている。そのため、第一縦部材１１同士及び第二縦部材１２同士が接触するまで両者を重ね合わせたとき、スラット１３が一枚に重なり合うようにすることができ、コンパクトに収納することができる。
【００３２】
また、第一横部材２に対して第二横部材３が回動自在に接続されている場合には、第一横部材２まわりに第二横部材３を回動させることによって、スラット１３の傾斜角度を変更することができ、日射角度に好適に対応することができる。
【００３３】
さらに、フレーム部材５のスラット１３の上面を含むスラット１３の各上面１８，２２，２３の反射率が、室内側の側面１３Ｂの反射率よりも小さいので、日光がスラット１３の上面に照射された際の室内への反射量を抑えることができる一方、側面１３Ｂでの反射量を増やすことができ、スラット１３における明暗の強さを均一にすることができる。
【００３４】
そして、支持部材１０によって第一縦部材及び第二縦部材を上下方向から支持することができ、フレーム部材５，６，７，８の耐風性をより高めることができる。
【００３５】
なお、本発明の技術範囲は上記実施の形態に限定されるものではなく、本発明の趣旨を逸脱しない範囲において種々の変更を加えることが可能である。
例えば、窓への取り付け方によっては、第一横部材２及び第二横部材３や支持部材１０も含めてフレーム部材としてもよい。また、凸部１５Ａは、スラット１３の下面でなく、スラット１３の上面に突出して設けられていてもよい。この場合、溝部１５Ｂ及び規制部１６は、スラット１３の下面に設けられる。さらに、各フレーム部材を手動で開閉するだけでなく、駆動機構を介して開閉移動させても構わない。
【符号の説明】
【００３６】
１  日射遮蔽装置
２  第一横部材
３  第二横部材
５，６，７，８  フレーム部材
１０  支持部材
１１  第一縦部材
１２  第二縦部材
１３  スラット（板状部材）
１５  ガイド部
１５Ａ  凸部
１５Ｂ  溝部
１６  規制部
１８，２２，２３  上面
１７，２０，２１  下面
【図１】
0005617145.tif 000002
【図２】
0005617145.tif 000003
【図３】
0005617145.tif 000004
【図４】
0005617145.tif 000005